(57)【要約】【課題】喫煙ボックスの利用状況を確認するために必要な時間を短縮し易くする。【解決手段】遊技に関する遊技情報を記憶する記憶手段と、内部の煙が外部に漏出し難い喫煙ボックスにおける利用者の有無を特定可能な信号を受信する受信手段と、を具備する制御装置を設ける。以上の制御装置において、遊技情報を表示する第１画像を表示させるとともに、受信手段が受信した信号に応じて、喫煙ボックスの利用者の有無を把握可能な第２画像を表示させる表示制御手段とを具備する。【選択図】図４
2019208585.tif 000002
【特許請求の範囲】
【請求項１】
遊技に関する遊技情報を記憶する記憶手段と、
内部の煙が外部に漏出し難い喫煙ボックスにおける利用者の有無を特定可能な信号を受信する受信手段と、
前記遊技情報を表示する第１画像を表示させるとともに、前記受信手段が受信した前記信号に応じて、前記喫煙ボックスの利用者の有無を把握可能な第２画像を表示させる表示制御手段とを具備する制御装置。
【請求項２】
前記受信手段は、複数の前記喫煙ボックスの各々における利用者の有無を特定可能な信号を受信可能であり、
前記表示制御手段は、前記複数の喫煙ボックスの各々における利用者の有無を把握可能な前記第２画像を表示させる
請求項１に記載の制御装置。
【請求項３】
前記喫煙ボックスを予約するための予約操作を受付ける予約操作受付手段と、
前記予約操作を受付けた場合、前記喫煙ボックスを予約状態に移行させるための信号を送信する送信手段と
を具備する請求項１または２に記載の制御装置。
【請求項４】
請求項１に記載の制御装置と、
前記喫煙ボックスに設けられ、当該喫煙ボックスが連続して使用されている時間長が予め定められた閾値に達した旨を報知する報知装置と
を具備する管理システム。
【発明の詳細な説明】
【技術分野】
【０００１】
本発明は、喫煙ボックスの利用状況を把握可能な画像を表示させる制御装置、及び管理システムに関する。
【背景技術】
【０００２】
従来から、遊技場における受動喫煙を防止する措置が要望されている。以上の要望に応じるため、遊技場に組立式の喫煙ルームを設けられる。例えば、特許文献１に記載される喫煙ルームは、骨組と側面パネルと天井パネルとで構成され、既存の遊技場に設置できる。
【先行技術文献】
【特許文献】
【０００３】
【特許文献１】特開２００５−２２０６９２公報
【発明の概要】
【発明が解決しようとする課題】
【０００４】
喫煙ルームの混み具合（利用状況）によっては、喫煙ルームを利用できない場合がある。上述の従来技術では、利用者が喫煙ルームまで移動し、当該喫煙ルームの利用状況を直接見て確認する必要があった。
【０００５】
しかし、既存の遊技場では、喫煙ルームを設置するスペースが確保できる場所は限られるという事情がある。したがって、遊技場によっては、遊技機から遠い場所に喫煙ルームが設置される場合がある。以上の場合、喫煙ルームの利用状況を確認するだけのために、遊技者は多くの時間を要する（長距離を移動する必要がある）という不都合が生じ得た。以上の事情を考慮して、本発明は、上述の不都合を抑制することを目的とする。
【課題を解決するための手段】
【０００６】
以上の課題を解決するために、本発明の制御装置は、遊技に関する遊技情報を記憶する記憶手段と、内部の煙が外部に漏出し難い喫煙ボックスにおける利用者の有無を特定可能な信号を受信する受信手段と、遊技情報を表示する第１画像を表示させるとともに、受信手段が受信した信号に応じて、喫煙ボックスの利用者の有無を把握可能な第２画像を表示させる表示制御手段とを具備する。
【０００７】
以上の構成によれば、例えば、喫煙ボックスの利用状況を把握可能な第２画像を表示する表示装置（例えば後述のデジタルサイネージ）を遊技機から近い場所に設置することで、喫煙ボックスの利用状況を確認するために必要な時間を短縮し易くなる。
【０００８】
また、本発明の構成によれば、上述の第２画像に加え、遊技に関する遊技情報を表示する第１画像を表示装置に表示できる。以上の構成によれば、喫煙ボックスの利用状況を確認に来た遊技者に対して、遊技情報（例えば遊技場に設置された遊技機の種類）を合わせて確認させることができるという利点がある。
【発明の効果】
【０００９】
本発明によれば、喫煙ボックスの利用状況を確認するために必要な時間を短縮し易くなる。
【図面の簡単な説明】
【００１０】
【図１】遊技場に設置された各構成を説明するための図である。
【図２】管理システムの各構成を説明するための図である。
【図３】制御装置の機能ブロック図である。
【図４】フロア画像の模擬図である。
【図５】表示制御処理のフローチャートである。
【図６】第２実施形態における、マップ画像の模擬図である。
【図７】変形例における、喫煙ボックスの表示装置が表示する画像の模擬図である。
【図８】変形例における、喫煙ボックスに設けるパネルの模擬図である。
【発明を実施するための形態】
【００１１】
＜第１実施形態＞
図１（ａ）は、遊技場に設置された各構成を説明するための図である。図１（ａ）には、遊技場に設置された各遊技機１０の一部が示される。遊技場には複数の遊技機島Ｌが設けられ、各遊技機１０は何れかの遊技機島Lに設置される。例えば、図１（ａ）に示す遊技機島Lには、５台の遊技機１０が設置される。
【００１２】
遊技機１０としては、遊技球を遊技媒体として遊技可能なパチンコ機、または、遊技メダルを遊技媒体として遊技可能なパチスロ機が想定される。遊技機１０は、例えば大当り状態に移行した場合、遊技者に対して遊技媒体を付与する。
【００１３】
図１（ａ）に示す通り、遊技場には各遊技用装置２０が設置される。本実施形態では、１台の遊技機１０に対して１台の遊技用装置２０が設けられる。図１（ａ）の具体例では、各遊技用装置２０は、当該遊技用装置２０が対応する遊技機１０の左側に隣接して設けられる。各遊技用装置２０は、当該遊技用装置２０に対応する遊技機１０に遊技媒体を貸出す。
【００１４】
遊技用装置２０は、各種の情報を表示する液晶表示部２０ａを具備する。詳細には後述するが、液晶表示部２０ａには、遊技場に設置された喫煙ボックス５０の利用状況を把握可能な画像（後述の画像ＧＡ。図４参照）が表示される。また、液晶表示部２０ａは、喫煙ボックス５０の利用状況を把握可能な画像に加え、遊技に関する遊技情報を表示する画像（後述の画像ＧＢ。図４参照）を表示する。なお、遊技用装置２０が表示する遊技情報には、貸出し可能な遊技媒体の個数を特定可能な情報を含む。
【００１５】
図１（ａ）に示す通り、遊技機島Lの上部には供給装置４０が設けられる。供給装置４０は、遊技機１０および遊技用装置２０の各々に遊技媒体を供給する。また、遊技機島Lには複数の情報表示装置３０が設けられる。情報表示装置３０の各々は、各遊技機１０の何れかに対応する。各情報表示装置３０は、当該情報表示装置３０が対応する遊技機１０の上側に設置され、当該遊技機１０に関する情報（例えば大当り回数）を表示可能である。
【００１６】
図１（ａ）に示す通り、遊技場には喫煙ボックス５０が設置される。詳細には以下で説明するが、喫煙ボックス５０は、内部で利用者が喫煙して生じた煙を外部に漏出し難く構成される。また、喫煙ボックス５０の内部は、排気装置５２（後述の図１（ｂ−１））により排気される。
【００１７】
遊技機島Lの上側（例えば遊技場の天井付近）には、図１（ａ）に示す通り、排気パイプP１が設けられる。図１（ａ）に示す喫煙ボックス５０からの排気は、図１（ａ）に示す排気パイプＰ２を介して排気パイプP１に移動する。排気パイプP１の内部の排気は、遊技場に設けられた排気装置により、遊技場の外部に排出される。
【００１８】
図１（ｂ−１）から図１（ｂ−３）は、本実施形態の喫煙ボックス５０の概略を説明するための図である。図１（ｂ−１）は、遊技場に設置された喫煙ボックス５０を天井側から床側の方向に見た図である。図１（ｂ−１）に示す通り、喫煙ボックス５０は、壁板５１（ａ〜ｄ）を含んで構成される。図１（ｂ−１）に示す通り、壁板５１は扉板５１ａ、背面板５１ｂ、２個の側面板５１ｃおよび上面板５１ｄを含む。
【００１９】
背面板５１ｂの左右両端に各側面板５１ｃが対面する様に立設される。また、扉板５１ａは、正面視で右側の側面板５１ｃの左右両端のうち背面板５１ｂとは逆側の端部に、開状態および閉状態に移動可能に軸支される。具体的には、扉板５１ａは、扉板５１ａＲおよび扉板５１ａＬで構成される。扉板５１ａＲおよび扉板５１ａＬは、板状の部材であり、扉板５１ａが閉状態で同一面上に位置する。扉板５１ａＲの右端がヒンジ部Ｊ１で側面板５１ｃの端部に軸支される。
【００２０】
図１（ｂ−１）では、扉板５１ａが閉状態の場合を想定する。図１（ｂ−１）に示す通り、扉板５１ａＲは、天井側から床側の方向に見て時計回りに回転可能に軸支される。また、扉板５１ａＬの右端がヒンジ部Ｊ２で扉板５１ａＲの左端に軸支される。図１（ｂ−１）に示す通り、扉板５１ａＬは、天井側から床側の方向に見て反時計回りに回転可能に軸支される。
【００２１】
図１（ｂ−２）は、扉板５１ａが開状態に移動した場合の喫煙ボックス５０を説明するための図である。図１（ｂ−２）では、上述の図１（ｂ−１）と同様に、天井側から床側の方向に喫煙ボックス５０を見た図である。図１（ｂ−２）に示す通り、扉板５１ａが開状態の場合、扉板５１ａＲおよび扉板５１ａＬが重なる様に側面板５１ｃと略平行になる。すなわち、扉板５１ａが開状態の場合、前板５１ａの全体が折り畳められた状態にある。
【００２２】
扉板５１ａが閉状態の場合、扉板５１ａの左右両端（扉板５１ａＲの右端、扉板５１ａＬの左端）が側面板５１ｃの各々と隙間なく接する。以上の構成によれば、喫煙ボックス５０の内部で発生した煙が扉板５１ａおよび側面板５１ｃの間から漏出し難くなる。
【００２３】
本実施形態の扉板５１ａは、透明な板部材で構成される。また、側面板５１ｃは、扉板５１ａと同様に、透明な板部材で構成される。扉板５１ａおよび側面板５１ｃの板部材としては、例えば強化ガラスが好適に採用される。以上の構成によれば、喫煙ボックス５０の内部を外部から視認できる。
【００２４】
ところで、喫煙ボックス５０の内部が外部から視認できない場合、利用者が人目を気にせずに喫煙できるため、当該喫煙ボックスにおける利用者の滞在時間（以下「利用時間」という場合がある）が長くなり易いという事情がある。１人の利用者の利用時間が長期化した場合、他の利用者の待ち時間が長期化し易くなるという不都合が生じ得る。本実施形態の喫煙ボックス５０によれば、内部の利用者が外部から視認されるため、上述した不都合が抑制される。
【００２５】
ただし、ガラス製の板部材は、例えば金属製の板部材と比較して、強度が低いという事情がある。しかし、例えば遊技機島Ｌに遊技機１０を設置する場合、および、遊技機島Ｌから遊技機１０を取り外す場合、遊技機島Ｌに近接して設置される喫煙ボックス５０には強い衝撃が伝わる可能性がある。したがって、遊技機島Ｌの端部と対面する背面板５１ｂがガラスの板部材である構成では、当該背面板５１ｂが破損し易いという不都合が想定される。
【００２６】
以上の事情を考慮して、本実施形態における喫煙ボックス５０の背面板５１ｂは、ガラス製以外の板部材（非透明）で構成される。背面板５１ｂの板部材としては、例えばアルミ複合製（アルミと樹脂の複合材）やスチール製の板部材が好適である。以上の背面板５１ｂでは、例えばガラス製の背面板５１ｂと比較して、遊技機島Ｌからの衝撃で破損するという不都合が抑制される。ただし、ガラス製の透明な背面板５１ｂを採用してもよい。
【００２７】
本実施形態の喫煙ボックス５０は、利用者を１人まで収容することを想定している。具体的には、喫煙ボックス５０の外寸は、縦８００ｍｍ×横８００ｍｍ×高さ２４００ｍｍである。以上の喫煙ボックス５０は、例えば２人以上で利用される喫煙ボックスと比較して、設置に要するスペースをコンパクトに出来る。したがって、比較的狭いスペースにも設置し易いため、喫煙ボックス５０を設置可能な場所の自由度が増すという利点がある。ただし、２人以上で利用可能な喫煙ボックス５０を採用してもよい。
【００２８】
図１（ｂ−１）に示す通り、喫煙ボックス５０の上面板５１ｄの上側には排気ファン５２ａが設けられる。排気ファン５２ａは、上述の排気パイプＰ２と接続され、排気ファン５２ａが動作した場合に喫煙ボックス５０内部が排気される。
【００２９】
図１（ｂ−１）に示す通り、上述の排気ファン５２ａの下側には、集煙フード５２ｂが設けられる（後述の図１（ｂ−３）参照）。以上の排気ファン５２ａおよび集煙フード５２ｂにより、排気装置５２が構成される。集煙フード５２ｂは、喫煙ボックス５０の内部の煙を集煙し易い形状および位置に形成される。
【００３０】
図１（ｂ−３）は、図１（ｂ−１）に示すＡ−Ａ断面図である。すなわち、喫煙ボックス５０の断面を右側から左側の方向へ見た場合の図である。図１（ｂ−３）に示す通り、喫煙ボックス５０内部の上面板５１ｄの近傍には、薄い略箱状の集煙フード５２ｂが設けられる。集煙フード５２ｂの内部は空洞である。集煙フード５２ｂの下面（利用者側の面）および側面には、複数個の集煙孔が設けられる。
【００３１】
図１（ｂ−３）に示す通り、喫煙ボックス５０内部の背面板５１ｂの側面板５１ｃ近傍には、集煙筒５２ｃが設けられる。集煙筒５２ｃは、内部が空洞の細長の部材であり、下端に台座部５２ｅが設けられる。台座部５２ｅには、灰皿５２ｄが設けられる。集煙筒５２ｃの台座部５２ｅの近傍には集煙孔が設けられる。また、集煙筒５２の上端には、上述の集煙フード５２ｂが設けられる。
【００３２】
排気装置５２の排気ファン５２ａが作動した場合、喫煙ボックス５０の内部の空気が集煙フード５２ｂおよび集煙筒５２ｃの集煙孔から吸引され排気パイプＰ（１、２）へ排気される。また、図１（ｂ−３）に示す通り、喫煙ボックス５０の壁板５１（ａ、ｂ、ｃ）の下側には足部５５が設けられる。以上の構成では、壁板５１の下端と床との間に隙間Ｋが形成される。喫煙ボックス５０の内部の空気が集煙孔から排気される場合、隙間Ｋから外部の空気が吸気される。
【００３３】
図１（ｂ−３）に示す通り、喫煙ボックス５０の内部には人感センサ５７が設けられる。喫煙ボックス５０の人感センサ５７は、当該喫煙ボックス５０における利用者の有無を検知する。詳細には後述するが、人感センサ５７の検知結果に応じて、喫煙ボックス５０の使用状況を把握可能な画像（後述の画像ＧＡ。図４参照）が遊技用装置２０およびデジタルサイネージ６０に表示される。
【００３４】
図１（ｂ−３）に示す通り、喫煙ボックス５０の内部には表示装置５６が設けられる。具体的には、上述の集煙筒５２に表示装置５６が設けられる。表示装置５６には液晶表示部５６ａが設けられる。液晶表示部５６ａには各種の情報が表示される。具体的には、一の利用者が喫煙ボックス５０を連続して利用している時間長（利用時間）を把握可能な画像が液晶表示部５６ａに表示される。また、利用時間が予め定められた閾値（例えば約５分間）に達した場合、その旨を報知するための画像が液晶表示部５６ａに表示される。
【００３５】
以上の構成によれば、喫煙ボックス５０を長期間に亘り利用している遊技者に対して、利用の中止を促すことができる。したがって、一の利用者が喫煙ボックス５０を長期間に亘り利用し、他の利用者が喫煙ボックス５０を利用できない不都合が抑制される。
【００３６】
喫煙ボックス５０の表示装置５６には、喫煙ボックス５０の利用時間に加え、遊技者にとって有用な情報が表示される。例えば、遊技場に設置された遊技機に関する情報（大当り確率等）が表示される。喫煙ボックス５０の利用者は、表示装置５６の前方（液晶画面５６ａが見易い位置）で喫煙することになる。表示装置５６は、上述の灰皿５２ｅを利用可能な位置に利用者が立った場合、当該利用者が液晶画面５６ａを見易い位置に設けられる。
【００３７】
ところで、仮に人感センサ５７を背面板５１ｂに設け、背面板５１ｂの前方に位置する利用者を検知する構成（以下「対比例」という）を想定する。以上の対比例では、人感センサ５７により、喫煙ボックス５０の利用者を検知できる。しかし、上述した通り、喫煙ボックス５０の扉板５１ａおよび側面板５１ｃは透明である。したがって、上述の対比例では、喫煙ボックス５０の内部の利用者に加え、喫煙ボックス５０の外部の者（例えば通行者）を検知してしまう不都合が想定される。
【００３８】
以上の事情を考慮して、本実施形態では、上面板５１ｄに人感センサ５７を設け、上面板５１ｄの下側（喫煙ボックス５０の内部）に位置する利用者が検知される構成とした。以上の構成によれば、例えば上述の対比例と比較して、喫煙ボックス５０の外部の者が人感センサ５７で検知される不都合が抑制される。ただし、人感センサ５７の位置は上述の例に限定されない。
【００３９】
図１（ａ）に説明を戻す。図１（ａ）に示す通り、遊技場にはデジタルサイネージ６０が設けられる。デジタルサイネージ６０には、上述の遊技用装置２０と同様に、喫煙ボックス５０の利用状況を把握可能な画像（後述の画像ＧＡ。図４参照）が表示される。また、デジタルサイネージ６０は、喫煙ボックス５０の利用状況を把握可能な画像に加え、遊技に関する遊技情報を表示する画像（後述の画像ＧＢ。図４参照）を表示する。
【００４０】
図１（ａ）では、説明のため、喫煙ボックス５０およびデジタルサイネージ６０の位置関係を実際とは変更して示す。デジタルサイネージ６０は、遊技者が移動し易い場所に設置される。例えば、各遊技機１０からの距離が短くなる場所にデジタルサイネージ６０が設置される。ただし、デジタルサイネージ６０が設置される場所は適宜に変更できる。例えば、利用者の目に付きやすい場所（例えば遊技場の入り口付近）にデジタルサイネージ６０を設置してもよい。
【００４１】
図２は、本実施形態の管理システムＳの各構成を説明するための図である。図２に示す通り、管理システムＳは、遊技用装置２０、喫煙ボックス５０、デジタルサイネージ６０、管理用コンピュータ７０および管理用モニタ８０を含んで構成される。
【００４２】
管理システムＳの各構成は通信可能に接続される。また、以上の各構成のうち、遊技用装置２０、喫煙ボックス５０およびデジタルサイネージ６０は、各遊技機１０が設置されるフロアＦに設けられ、管理用コンピュータ７０および管理用モニタ８０は、遊技場の店員が入室可能な管理室Ｋ（バックヤード）に設置される。
【００４３】
遊技用装置２０は、上述した通り、遊技者に遊技媒体を貸出し可能である。本実施形態の遊技用装置２０は、図２に示す通り、液晶表示部２０ａを具備する。液晶表示部２０ａを遊技者が操作することで、遊技媒体が遊技用装置２０から貸出される。また、液晶表示部２０ａには遊技に関する各種の遊技情報が表示される。例えば、遊技者に貸出し可能な遊技媒体の残り個数が液晶表示部２０ａに表示される。
【００４４】
遊技用装置２０の液晶表示部２０ａには、上述の喫煙ボックス５０の利用状況を把握可能な画像（後述の画像ＧＡ。図４参照）、および、遊技に関する遊技情報を表示する画像（後述の画像ＧＢ。図４参照）が表示される。また、液晶表示部２０ａは、喫煙ボックス５０を予約するために、利用者により操作される。当該操作を受付けた場合、遊技用装置２０は、当該操作で予約状態に移行させる喫煙ボックス５０を特定可能な信号を出力する。
【００４５】
管理用コンピュータ７０は、各遊技用装置２０に関する情報を含む各種の情報を記憶する。例えば、管理用コンピュータ７０は、各遊技用装置２０（遊技機１０）の稼働状況を記憶する。また、管理用コンピュータ７０は、各遊技用装置２０が貸出し可能な遊技媒体の残り個数を記憶する。管理用コンピュータ７０は、管理用モニタ８０に各種の画像を表示させるための処理を実行する。例えば、管理用コンピュータ７０は、各遊技用装置２０の稼働状況を把握可能な画像を管理用モニタ８０に表示させる。
【００４６】
管理用コンピュータ７０は、各種のプログラムおよび情報を記憶するＲＯＭ、当該プログラムを実行するＣＰＵ、および、当該プログラムを実行した場合に生成される各種の情報を一時的に記憶可能なＲＡＭを備える。
【００４７】
喫煙ボックス５０は、上述した通り、人感センサ５７を具備する。人感センサ５７の検知結果（検知、非検知）を特定可能な信号が喫煙ボックス５０から送信される。また、喫煙ボックス５０は表示装置５６（液晶表示部５６ａ）を具備する。表示装置５６には、上述した通り、喫煙ボックス５０の利用時間が表示される。遊技用装置２０の液晶表示部２０ａや、デジタルサイネージ６０を適宜に操作することで、喫煙ボックス５０の予約ができる。
【００４８】
以下において、喫煙ボックス５０を予約するための操作を「予約操作」と記載する場合がある。予約操作がされた場合、喫煙ボックス５０を予約状態に移行させるための信号が予約の対象に選択された喫煙ボックス５０に出力される。以上の信号が喫煙ボックス５０に入力された場合、当該喫煙ボックス５０が予約状態に移行する。
【００４９】
具体的には、喫煙ボックス５０を予約状態に移行させるための信号が入力された場合、当該喫煙ボックス５０の表示装置５６に予約中である旨を報知する画像が表示される。例えば、表示装置５６は「御予約をされたお客様のみが御使用になれます。」というメッセージを表示する。喫煙ボックス５０の予約状態は、適宜な契機で解除される。例えば、当該喫煙ボックス５０の人感センサ５７が利用者を検知してから予め定められた時間長（例えば１０秒）が経過した場合に予約状態が解除される。
【００５０】
デジタルサイネージ６０は液晶表示部６０ａを具備する。液晶表示部６０ａには、上述の喫煙ボックス５０の利用状況を把握可能な画像（後述の画像ＧＡ。図４参照）、および、遊技に関する遊技情報を表示する画像（後述の画像ＧＢ。図４参照）が表示される。また、液晶表示部６０ａは、喫煙ボックス５０を予約するために、利用者により予約操作される。予約操作を受付けた場合、デジタルサイネージ６０は、当該予約操作で予約状態に移行させる喫煙ボックス５０を特定可能な信号を出力する（遊技用装置２０と同様）。
【００５１】
図３（ａ）は、本実施形態の制御装置１００の機能ブロック図である。上述の管理用コンピュータのＣＰＵがプログラムを実行することで、制御装置１００として機能する。図３（ａ）に示す通り、制御装置１００は、表示制御部１１０、遊技情報記憶部１２０、受信部１３０、利用状況記憶部１４０、予約操作受付部１５０および送信部１６０を含んで構成される。例えば、表示制御部１１０は、上述の液晶表示部２０ａおよび液晶表示部６０ａに各種の画像を表示させる。具体的には、後述のフロア画像ＧＦ（図４参照）を液晶表示部２０ａおよび液晶表示部６０ａに表示させる。
【００５２】
遊技情報記憶部１２０は、遊技に関する遊技情報を記憶する。遊技情報記憶部１２０が記憶する遊技情報には、遊技場に設置される遊技機の種類（機種）、および、各種類の遊技機の遊技場における設置場所を特定可能な画像を表示するためのデータ（以下「設置場所データ」という）が含まれる。表示制御部１１０は、設置場所データを参照して、後述の各画像ＧＢを表示させる。なお、遊技情報記憶部１２０が記憶する遊技情報には、各遊技機で実行される演出等を紹介する画像を表示するためのデータが含まれる構成としてもよい。
【００５３】
受信部１３０は、喫煙ボックス５０の利用者の有無を特定可能な信号を受信する。利用状況記憶部１４０は、受信部１３０が受信した信号に応じて、利用状況テーブル（後述の図３（ｂ）参照）を更新する。また、利用状況記憶部１４０は、予約操作がされた場合および喫煙ボックス５０の予約状態が解除された場合に利用状況テーブルを更新する。
【００５４】
図３（ｂ）は、利用状況記憶部１４０により更新される利用状況テーブルの概念図である。図３（ｂ）に示す通り、利用状況テーブルは、複数のボックス番号（１〜８）および当該ボックス番号に対応する利用フラグ（空き、予約、利用）を含んで構成される。
【００５５】
各ボックス番号は、遊技場に設置された複数の喫煙ボックス５０の各々に対応する。また、各利用フラグは、当該利用フラグが対応するボックス番号の喫煙ボックス５０の利用状況に応じて更新される。具体的には、喫煙ボックス５０が利用中の場合（人感センサ５７により利用者が検知されている場合）、当該喫煙ボックス５０の利用フラグは「利用」に更新される。また、喫煙ボックス５０が予約状態の場合、当該喫煙ボックス５０の利用フラグは「予約」に更新される。さらに、喫煙ボックス５０が利用中ではなく、且つ、予約状態ではない場合、当該喫煙ボックス５０の利用フラグは「空き」に更新される。
【００５６】
本実施形態では、遊技場に８個の喫煙ボックス５０が設置される場合を想定する。したがって、利用状況テーブルの各利用フラグのうち８個の利用フラグが適宜に更新される。ただし、遊技場に設置する喫煙ボックス５０の個数は変更できる。以上の場合、遊技場に設置する喫煙ボックス５０の個数が変更されたことに応じて、更新される利用フラグの個数が変更される。
【００５７】
図３（ａ）に説明を戻す。制御装置１００の予約操作受付部１５０は、喫煙ボックス５０の予約操作を受付ける。送信部１６０は、予約操作が受付けられた場合、当該予約操作により予約状態に移行させる喫煙ボックス５０を特定可能な信号を送信する。
【００５８】
図４は、本実施形態のフロア画像ＧＦの概念図である。フロア画像ＧＦは、上述の遊技用装置２０の液晶表示部２０ａおよびデジタルサイネージ６０の液晶表示部６０ａに表示される。フロア画像ＧＦには、遊技場に設置された各設備に対応する各画像が、当該設備の設置場所を把握できる態様で表示される。例えば、獲得した遊技媒体に応じた景品を受取るカウンタに対応する画像がフロア画像ＧＦに表示される。当該画像は、遊技場における実際のカウンタの場所に対応する位置に表示される。また、フロア画像ＧＦは、図４に示す通り、複数個の画像ＧＡおよび複数個の画像ＧＢを含んで構成される。
【００５９】
図４に示す通り、各画像ＧＢは、略矩形であり機種名（遊技機の種類）を表示する。画像ＧＢは、上述の遊技情報記憶部１２０が記憶する設置場所データを参照して表示される。具体的には、各画像ＧＢが表示する機種名は、遊技場に実際に設置される各遊技機１０の機種名である。
【００６０】
各画像ＧＢが表示されるフロア画像ＧＦにおける位置は、当該画像ＧＢが表示する機種名の遊技機１０が設置される遊技場における実際の位置に対応する。また、各画像ＧＢは、当該画像ＧＢが表示する機種名の遊技機１０が設置される遊技機島Ｌ毎に纏めて表示される。各画像ＧＢの左右方向の長さは、当該画像ＧＢが表示する機種名の遊技機１０の台数が多いほど長くなる。以上の画像ＧＢによれば、当該画像ＧＢが表示する機種の遊技場における設置場所、および、当該機種のおよその台数が把握できる。
【００６１】
各画像ＧＡは、遊技場に設置された複数の喫煙ボックス５０の各々に対応する。また、フロア画像ＧＦにおける各画像ＧＡの位置は、当該画像ＧＡに対応する喫煙ボックス５０が設置される遊技場における実際の位置に対応する。以上のフロア画像ＧＦによれば、遊技場における喫煙ボックス５０の位置が把握される。例えば、図４に示すフロア画像ＧＦの具体例では、機種Ａ、機種Ｂ、機種Ｃおよび機種Ｄが設置される遊技機島Ｌの端部に１個の喫煙ボックス５０が設置される旨が把握される。また、図４に示すフロア画像ＧＦの具体例では、カウンタの右側に４個の喫煙ボックス５０が設置される旨が把握される。
【００６２】
各画像ＧＡは、当該画像ＧＡに対応する喫煙ボックス５０の利用状況（利用、予約、空き）に応じた態様（色彩）で表示される。具体的には、各画像ＧＡは、当該画像ＧＡが対応する喫煙ボックス５０の利用フラグ（上述の図３（ｂ）参照）に応じた態様で表示される。以上の構成によれば、各喫煙ボックス５０が利用中であるか、予約状態であるか、利用可能な空き状態であるかがフロア画像ＧＦの画像ＧＡの態様から把握できる。
【００６３】
図４に示す通り、フロア画像ＧＦには、フロア画像ＧＦ（液晶表示部２０ａ、液晶表示部６０ａ）の画像ＧＡをタッチ操作（予約操作）することで、喫煙ボックス５０の予約が可能である旨のメッセージが表示される。具体的には、空き状態の喫煙ボックス５０の画像ＧＡがタッチ操作された場合、当該喫煙ボックス５０が予約状態に移行する。以上の場合、当該喫煙ボックス５０の利用フラグが「空き」から「予約」に更新される。また、タッチ操作された画像ＧＡの態様は、空き状態を示す態様から予約済を示す態様に変化する。
【００６４】
以上の制御装置１００により表示されるフロア画像ＧＦ（画像ＧＡ）によれば、遊技場に点在する喫煙ボックス５０の利用状況を一度に把握できる。したがって、喫煙ボックス５０が利用されているか否かを当該喫煙ボックス５０まで移動しなければ把握できない構成と比較して、利用者の移動距離が短くできるという効果が奏せられる。
【００６５】
また、本実施形態では、喫煙ボックス５０から離れた場所で当該喫煙ボックス５０の利用状況を確認可能であることに加え、当該喫煙ボックス５０の予約が可能である。したがって、例えば、喫煙ボックス５０に移動するまでの期間において、当該喫煙ボックスが他の者に利用されてしまう不都合が抑制できる。
【００６６】
また、本実施形態の制御装置１００によれば、画像ＧＡに加え、遊技に関する遊技情報（機種名）を表示する画像ＧＢを表示できる。以上の構成によれば、喫煙ボックス５０の利用状況を確認に来た遊技者に対して、遊技情報を合わせて確認させることができるという利点がある。
【００６７】
図５は、制御装置１００が実行する表示制御処理のフローチャートである。表示制御処理を開始すると、制御装置１００は、各喫煙ボックス５０に設置された人感センサ５７からの信号（以下「検知信号」という）の状態（検知、非検知）が変化したか否かを判定する（Ｓ１０１）。
【００６８】
例えば、喫煙ボックス５０の利用が開始された場合（喫煙ボックス５０に利用者が入室した場合）、当該喫煙ボックス５０からの検知信号の状態が「非検知」から「検知」に変化する。また、喫煙ボックス５０の利用が終了した場合（喫煙ボックス５０から利用者が退出した場合）、当該喫煙ボックス５０からの検知信号の状態が「検知」から「非検知」に変化する。
【００６９】
検知信号が変化したと判断した場合（Ｓ１０１：ＹＥＳ）、制御装置１００は、後述の利用フラグ更新処理（Ｓ１０３）に移行する。一方、検知信号が変化していないと判断した場合（Ｓ１０１：ＮＯ）、制御装置１００は、予約操作がされたか否かを判定する（Ｓ１０２）。予約操作がされたと判断した場合（Ｓ１０２：ＹＥＳ）、制御装置１００は、利用フラグ更新処理に移行する。一方、予約操作が実行されていないと判断した場合（Ｓ１０２：ＮＯ）、制御装置１００は、表示制御処理を終了する。
【００７０】
利用フラグ更新処理において、制御装置１００は、利用状況テーブル（上述の図３（ｂ）参照）の各利用フラグを更新する。例えば、喫煙ボックス５０からの検知信号が「検知」に変化した場合、当該喫煙ボックス５０の利用フラグを「検知」に更新し、検知信号が「検知」から「非検知」に変化した場合、当該喫煙ボックス５０の利用フラグを「非検知」に更新する。また、予約操作がされた場合、当該予約操作で選択された喫煙ボックス５０の利用フラグを「予約」に更新する。
【００７１】
利用フラグ更新処理を終了した後に、制御装置１００は、画像更新処理（Ｓ１０４）に移行する。画像更新処理において、制御装置１００は、直前の利用フラグ更新処理で更新された利用状況テーブルに応じて、遊技用装置２０の液晶表示部２０ａおよびデジタルサイネージ６０の液晶表示部６０ａの画像を更新する。具体的には、利用フラグ更新処理で更新された利用フラグに対応する画像ＧＡの態様が更新される。画像更新処理を実行した後に、制御装置１００は表示制御処理を終了する。
【００７２】
＜第２実施形態＞
本発明の他の実施形態を以下に説明する。なお、以下に例示する各形態において作用や機能が第１実施形態と同等である要素については、第１実施形態の説明で参照した符号を流用して各々の詳細な説明を適宜に省略する。
【００７３】
上述の第１実施形態では、遊技に関する遊技情報（遊技機の機種名）を表示する第１画像（図４の画像ＧＢ）および喫煙ボックス５０の利用状況を把握可能な第２画像（図４の画像ＧＡ）を遊技用装置２０の液晶表示部２０ａおよびデジタルサイネージ６０の液晶表示部６０ａに表示する構成を採用した。第２実施形態では、以上の第１画像および第２画像を管理用モニタ８０（上述の図２参照）に表示する。以上の第２実施形態では、管理用コンピュータ７０が本発明の制御装置として機能する。
【００７４】
図６は、第２実施形態の管理用モニタ８０に表示されるマップ画像ＧＭの模擬図である。マップ画像ＧＭは、画像ＧＣ、画像ＧＤおよび画像ＧＥを含んで構成される。画像ＧＣは、上述の第１実施形態の図４で説明した画像ＧＡと同様に、喫煙ボックス５０の利用状況を把握可能な画像である。具体的には、マップ画像ＧＭには複数の画像ＧＣが表示される。各画像ＧＣは、遊技場に設置された喫煙ボックス５０の各々に対応する（図４の画像ＧＡと同様）。
【００７５】
第２実施形態の管理用コンピュータ７０は、上述の利用状況テーブル（上述の図３（ｂ）参照）を記憶する。各喫煙ボックス５０の人感センサ５７の検知状態を示す検知信号が管理用コンピュータ７０に出力される。管理用コンピュータ７０は検知信号に応じて利用状況テーブルを更新する。管理用コンピュータ７０は、利用状況テーブルを参照して、喫煙ボックス５０の利用フラグに応じた態様で、当該喫煙ボックス５０に対応する画像ＧＣを表示させる。
【００７６】
第２実施形態では、喫煙ボックスの利用状況を把握可能な画像（第２画像）として、上述の画像ＧＣに加え、画像ＧＤがマップ画像ＧＭに表示される。図６に示す通り、画像ＧＤは各喫煙ボックス５０のボックス番号を表示する。また、画像ＧＤは各喫煙ボックス５０の利用状況を表示する。例えば、図６の具体例では、各喫煙ボックス５０のうちボックス番号「４」の喫煙ボックス５０およびボックス番号「５」の喫煙ボックス５０が利用中であり、ボックス番号「８」の喫煙ボックス５０が予約状態である場合を想定する。
【００７７】
図６に示す通り、画像ＧＤは、喫煙ボックス５０が連続して利用中である時間長（利用時間）を表示する。同様に、画像ＧＤは、喫煙ボックス５０が連続して予約状態である時間長（予約操作がされてから利用が開始されない期間の時間長）を表示する。例えば、図６の具体例では、ボックス番号「４」の喫煙ボックス５０が約２分１０秒に亘り連続して利用中であり、ボックス番号「５」の喫煙ボックス５０が約１５分５秒に亘り連続して利用中であり、ボックス番号「８」の喫煙ボックス５０が約３分５０秒に亘り連続して予約状態である場合を想定する。
【００７８】
画像ＧＤは、喫煙ボックス５０の利用時間の時間長が予め定められた閾値に達した場合、その旨を表示する。例えば、利用時間が約１５分を超過した喫煙ボックス５０のボックス番号に対応する位置に、「超過」というメッセージが表示される。図６の具体例では、ボックス番号「５」の喫煙ボックス５０の利用時間が閾値を超えている場合を想定する。以上の場合、当該喫煙ボックス５０の利用時間の右側に「超過」というメッセージが表示される。
【００７９】
管理用コンピュータ７０は、喫煙ボックス５０が連続して予約状態である時間長が予め定められた閾値に達した場合、その旨を表示する。例えば、約１０分に亘り連続して予約状態の喫煙ボックス５０のボックス番号に対応する位置に、「超過」というメッセージが表示される。具体的には、予約状態の時間長の右側に「超過」というメッセージが表示される。
【００８０】
以上の通り、第２実施形態では、管理用モニタ８０のマップ画像ＧＭにより各喫煙ボックス５０の利用状況を遊技場の管理者が確認できる。また、喫煙ボックス５０の利用時間をマップ画像ＧＭで確認できるため、例えば喫煙ボックス５０の利用時間が閾値を超えた場合、当該喫煙ボックス５０の利用者に対して、その旨を直接伝える措置が可能である。  
【００８１】
マップ画像ＧＭの各画像ＧＥは、遊技場に設置された遊技機１０の各々に対応する。図６に示す通り、各画像ＧＥは、当該画像ＧＥに対応する遊技機１０の台番号を表示する。また、各画像ＧＥは、当該画像ＧＥに対応する遊技機１０の稼働状況（稼働、非稼動）に応じた態様で表示される。図６の具体例では、台番号「１８」の遊技機１０および台番号「２７」の遊技機が遊技者に遊技されている稼働状態である場合を想定する。
【００８２】
具体的には、上述した通り、管理用コンピュータ７０は各遊技機１０の稼働状況（遊技に関する遊技情報）を記憶する。管理用コンピュータ７０は、各遊技機１０の稼働状況を特定可能な情報に応じて各画像ＧＥの態様を決定する。以上の画像ＧＥによれば、各遊技機１０の稼働状況が把握可能になる。
【００８３】
以上の第２実施形態によれば、喫煙ボックス５０の利用状況を把握可能な画像ＧＣおよび画像ＧＤに加え、遊技機１０の稼働状況を把握可能な画像ＧＥを一度に表示できるという利点がある。なお、第２実施形態では、喫煙ボックス５０の利用状況を把握可能な画像（第２画像）を２種類（画像ＧＣ、画像ＧＤ）表示したが、画像ＧＣおよび画像ＧＤの何れか一方が表示される構成としてもよい。
【００８４】
＜変形例＞
以上の各形態は多様に変形される。具体的な変形の態様を以下に例示する。以下の例示から任意に選択された２以上の態様は適宜に併合され得る。
【００８５】
（１）上述の各形態では、遊技情報（図４の機種名、図６の稼働状況）を表示する第１画像（図４の画像ＧＢ、図６の画像ＧＥ）、および、喫煙ボックス５０の利用状況を把握可能な第２画像（図４の画像ＧＡ、図６の画像ＧＣおよび画像ＧＤ）を表示する画像（図４のフロア画像ＧＦ、図６のマップ画像ＧＭ）において、喫煙ボックス５０が予約状態であるか否かを把握可能とした。ただし、第１画像および第２画像が表示される画像において、喫煙ボックス５０が予約状態であるか否かが把握できなくてもよい。
【００８６】
（２）上述の第１実施形態では、遊技情報を表示する第１画像、および、喫煙ボックス５０の利用状況を把握可能な第２画像を遊技用装置２０の液晶表示部２０ａおよびデジタルサイネージ６０の液晶表示部６０ａに表示した。また、第２実施形態では、第１画像および第２画像を管理用モニタ８０に表示した。しかし、第１画像および第２画像を表示する表示装置は、上述の例に限定されない。
【００８７】
例えば、第１実施形態において、遊技用管理装置２０およびデジタルサイネージ６０のうちの何れか一方のみに第１画像および第２画像が表示される構成としてもよい。また、遊技機１０毎に設けられた情報表示装置３０（図１参照）において、第１画像および第２画像が表示される構成としてもよい。
【００８８】
以上の各構成では、管理用コンピュータ７０が本発明の制御装置１００として機能する構成を採用した。しかし、他の構成が制御装置１００として機能する構成としてもよい。例えば、遊技用装置２０の液晶表示部２０ａに第１画像および第２画像が表示される構成では、当該遊技用装置２０が制御装置１００として機能する構成としてもよい。以上の構成では、上述の表示制御処理（図５参照）を遊技用装置２０のＣＰＵが実行する。また、デジタルサイネージ６０液晶表示部６０ａに第１画像および第２画像が表示される構成では、当該デジタルサイネージ６０が制御装置１００として機能する構成としてもよいし、情報表示装置３０に第１画像および第２画像が表示される構成では、当該情報表示装置３０が制御装置１００として機能する構成としてもよい。
【００８９】
（３）以上の各形態において、制御装置により表示される「遊技に関する遊技情報」は、適宜に変更できる。例えば、特定の遊技機１０で使用した遊技媒体と獲得した遊技媒体との個数の差の変動を示すスランプグラフを遊技情報として表示する第１画像が制御装置により表示可能な構成としてもよい。また、上述の第１実施形態のフロア画像ＧＦにおいて、第２実施形態のマップ画像ＧＭと同様に、各遊技機１０の稼働状況（遊技情報）が表示される構成としてもよい。第２実施形態のマップ画像ＧＭにおいて、第１実施形態のフロア画像ＧＦと同様に、各遊技機１０の機種名が表示される構成としてもよい。
【００９０】
（４）以上の第２実施形態において、喫煙ボックス５０の利用時間が閾値を超過した旨の報知（以下「超過報知」という）を、喫煙ボックス５０の表示装置５６および管理室Ｋの管理用モニタ８０の双方で実行してもよいし、何れか一方で実行してもよい。また、喫煙ボックス５０の表示装置５６および管理室Ｋの管理用モニタ８０の双方で超過報知を実行する場合、超過報知が開始されるまでの時間長が表示装置５６および管理用モニタ８０で共通の構成としてもよいし、相違する構成としてもよい。
【００９１】
例えば、喫煙ボックス５０の表示装置５６では、利用者がタバコを一本吸い終えるまでに要する時間長（約５分）が経過した場合に超過報知を実行し、喫煙ボックス５０から退出することを促す。一方、管理用モニタ８０では、喫煙ボックス５０の内部で異常が発生した可能性が高い時間長（約１５分）が経過した場合に超過報知を実行する。喫煙ボックス５０の内部で発生する異常としては、例えば、人感センサ５７の直下に障害物（例えば利用者の忘れ物）が置かれ、当該障害物を利用者として検知してしまうことが考えられる。
【００９２】
また、画像を表示する以外の方法で超過報知が実行される構成としてもよい。例えば、喫煙ボックス５０の利用者に視認可能な位置に報知ランプを設け、当該報知ランプにより超過報知が実行される構成としてもよい。例えば、利用時間を超過した場合、報知ランプが点滅する構成が考えられる。また、喫煙ボックス５０にスピーカを設け、利用時間を超過した場合、当該スピーカから警告音が出力される構成としてもよい。
【００９３】
また、遊技場の各店員はインカムを所持し、当該インカムを介して各種の連絡がされる。以上の場合、喫煙ボックス５０の利用時間が超過した場合、その旨をインカムで報知する構成としてもよい。具体的には、喫煙ボックス５０の利用時間を超過した場合、当該喫煙ボックス５０のボックス番号および「ご利用を確認してください。」というメッセージがインカムで再生される構成が考えられる。
【００９４】
（５）以上の各形態において、利用時間の超過報知が実行されるまでの時間長を、遊技場の管理者が変更可能な構成としてもよい。同様に、予約状態に移行してから超過報知が実行されるまでの時間長を、遊技場の管理者が変更可能な構成としてもよい。
【００９５】
（６）以上の各形態において、喫煙ボックス５０に設けた表示装置５６（液晶表示部５６ａ）に表示される情報は適宜に変更できる。
【００９６】
図７（ａ）は、変形例における表示装置５６に表示される利用時画像ＧＸの模擬図である。利用時画像ＧＸは、喫煙ボックス５０が利用者に利用される期間において、表示装置５６に表示される。具体的には、喫煙ボックス５０の人感センサ５７が利用者を検知する期間において、利用時画像ＧＸが表示される。
【００９７】
図７（ａ）に示す通り、利用時画像ＧＸは、画像ＧＨおよび画像ＧＪを含んで構成される。画像ＧＨは、遊技者にとって有用な情報を表示する。図７（ａ）の具体例では、遊技機１０の大当り確率等を含む情報を表示する動画像（ムービー）が画像ＧＨに表示される。ただし、画像ＧＨに表示される情報は以上の例に限定されない。例えば、遊技用装置２０からＩＣカードをとり忘れていないかを確認する画像が画像ＧＨに表示される構成としてもよい。
【００９８】
画像ＧＪは、超過報知がされるまでの残り時間を報知するための画像である。具体的には、画像ＧＪは、横長の略矩形であり、端部Ｔを含んで構成される。端部Ｔは、利用者が喫煙を開始した直後は、画像ＧＪの左端に位置する。また、時間の経過とともに端部Ｔが右方向に移動し、超過報知がされる時点において、画像ＧＪの右端に位置する。以上の画像ＧＪによれば、端部Ｔの位置により、超過報知が実行されるまでの残り時間が把握可能になる。ただし、以上の画像ＧＪ以外の画像により超過報知がされるまでの残り時間が報知される構成としてもよい。
【００９９】
ところで、遊技場には、場内アナウンスのためのスピーカが設けられる。例えば、遊技機１０に私物を置いた遊技者が長期間に亘り遊技をしない場合、当該遊技機１０の遊技者を呼出すための場内アナウンスをする。
【０１００】
しかし、喫煙ボックス５０の構造および設置場所によっては、当該喫煙ボックス５０の利用者に場内アナウンスが聞え難くなるという不都合が想定される。以上の事情を考慮して、本変形例では、喫煙ボックス５０の利用者に場内アナウンスの内容を確実に報知可能な構成を採用した。
【０１０１】
図７（ｂ）は、場内アナウンスがされた場合の画像ＧＸの模擬図である。図７（ｂ）に示す通り、場内アナウンスがされた場合、上述の画像ＧＨに替えて報知画像ＧＩが画像ＧＸに表示される。報知画像ＧＩは、場内アナウンスの内容を示すメッセージを表示する。例えば、図７（ｂ）の具体例では、台番号「００１」の遊技者を呼出す場内アナウンスがされた場合を想定する。以上の場合、図７（ｂ）に示す通り、例えば「００１番台のお客様、お席にお戻りください。」というメッセージが報知画像ＧＩに表示される。
【０１０２】
以上の変形例によれば、喫煙ボックス５０の表示装置５６に報知画像ＧＩが表示されない構成と比較して、当該喫煙ボックス５０の利用者に場内アナウンスの内容を確実に報知することができる。なお、報知画像ＧＩを表示する場合、予め定められた音響（音声、効果音）が喫煙ボックス５０の内部のスピーカにより再生される構成としてもよい。
【０１０３】
（７）以上の各形態において、喫煙ボックス５０を利用している遊技者の遊技機１０における盗難および悪戯が抑制される技術を採用してもよい。遊技機１０の遊技中の喫煙が禁止された遊技場では、喫煙のために遊技機１０から離れる遊技者が多くなる。以上の場合、遊技者が喫煙をしている期間において、当該遊技者の遊技機１０で盗難および悪戯が発生するという不都合が生じ易くなる。上述の技術を採用することで、以上の不都合が抑制される。
【０１０４】
上述の遊技機１０における盗難および悪戯を抑制する技術としては、例えば、遊技場に各遊技機１０を撮影する監視カメラが設置し、当該監視カメラが撮影する映像を喫煙ボックス５０の表示装置５６に表示させる構成が考えられる。以上の構成によれば、利用者が自身の遊技機１０の様子をリアルタイムで監視できる。したがって、遊技機１０における盗難および悪戯が直ちに発見され易くなるため、盗難および悪戯が抑制される。
【０１０５】
また、以上の構成によれば、例えば、遊技をする前に喫煙ボックス５０を利用する利用者は、表示装置５６が表示する遊技機１０の様子を参考にして、遊技する遊技機１０を選定することができる。例えば、遊技を望む機種における空台の有無を確認できる。
【０１０６】
（８）以上の各形態では、遊技情報を表示する第１画像および喫煙ボックス５０の利用状況を表示する第２画像を共通の画像（図４のフロア画像ＧＦ、図６のマップ画像ＧＭ）に表示した。しかし、第１画像および第２画像が別々の画像に表示される構成としてもよい。具体的には、制御装置は、第１画像および第２画像のうち第１画像を表示装置に表示させる。また、第１画像が表示される期間において、予め定められた切替契機が成立した場合、第１画像に替えて第２画像を当該表示装置に表示させる。
【０１０７】
（９）以上の各形態において、喫煙ボックス５０の構造は適宜に変更できる。図８（ａ）は、変形例における喫煙ボックス５０を説明するための図である。図８は、喫煙ボックス５０の天井付近の断面拡大図である。図８（ａ）に示す通り、変形例の喫煙ボックス５０は、開口部５８を除き天井が上面板５１ｄで塞がれる。また、開口部５８は排気装置５２で塞がれ、開口部５８から空気が排気装置５２により排気される。
【０１０８】
ところで、以上の喫煙ボックス５０の内部には、空気が排気装置５２に移動するまでに比較的短い時間長を要する領域（図８（ａ）の網掛けで示す領域Ｘ）および空気が排気装置５２に移動するまでに比較的長い時間長を要する領域（図８（ａ）の網掛けで示す領域Ｙ）がある。例えば、利用者が領域Ｘに向けて煙を吐いた場合、喫煙ボックス５０で生じた煙が比較的短期間で外部に排気される。一方、利用者が領域Ｙに向けて煙を吐いた場合、喫煙ボックス５０で生じた煙が比較的長期間に亘り内部に滞留する。以上の場合、次の利用者が喫煙ボックス５０を利用する時点において、前の利用者の煙が喫煙ボックス５０に残っている不都合が生じ易くなる。
【０１０９】
以上の事情を考慮して、図８（ａ）の変形例では、領域Ｘに向けて煙を吐くことを促すためのパネル５９を喫煙ボックス５０の内部に設けた。具体的には、喫煙ボックス５０の中央（利用者の喫煙位置）からみて、領域Ｘの方向（図８（ａ）の矢印の方向）にパネル５９を設けた。例えば、背面板５１ｂにパネル５９は設けられる。以上のパネル５９には、当該パネル５９に向けて煙を吐くことを促すメッセージおよび図柄が描かれる。
【０１１０】
図８（ｂ−１）は、パネル５９の具体例を説明するための図である。図８（ｂ−１）に示す通り、開口部５８（排気装置５２）の方向を示す矢印、および、「排気口はこちら」というメッセージがパネル５９に表示される。以上のパネル５９によれば、煙が排気され易い領域Ｘが利用者に示唆される。したがって、領域Ｘに向けて煙を吐くことが促される。
【０１１１】
図８（ｂ−２）は、パネル５９の他の具体例を説明するための図である。遊技機には、大当りに当選した場合に点灯するランプ（以下「大当りランプ」という）が設けられる場合がある。当該変形例のパネル５９には、大当りランプを模した図形が描かれる。図８（ｂ−２）の例では、花（ハイビスカス）の形状の大当りランプを模した図形が描かれる。また、パネル５９には、当該パネル５９に煙を吹きかけることで、遊技機の大当りランプが光る（大当りに当選する）ことの願掛けになる旨のメッセージが表示される。以上のパネル５９によれば、領域Ｘに向けて煙を吐くことが促される。ただし、遊技場に設置される遊技機の種類に応じて、パネル５９に描かれる大当りランプを変更してもよい。
【０１１２】
なお、例えば第１実施形態の様に、集煙フードが設けられる喫煙ボックス５０において、パネル５９を設けてもよい。以上の場合、集煙フードで集煙され易い方向に煙を吐くことが促される位置にパネル５９を設ける構成が好適である。また、パネル５９を省略し、上述の変形例でパネル５９が設けられる位置（背景板５１ｂ）に、当該パネル５９と同様なメッセージおよび図形が描かれる構成としてもよい。
【０１１３】
（１０）以上の各形態において、人感センサ５７の検知情報を無線通信により送信可能な構成としてもよい。以上の構成では、当該検知情報を受信可能な受信装置が遊技場に設けられ、当該受信装置が受信した検知情報に応じて、制御装置が第２画像を表示する。また、以上の構成において、制御装置が無線通信を可能な構成とし、制御装置が検知情報を直接受信可能な構成としてもよい。以上の構成では、検知信号を外部に送信するための配線の長さ等を考慮して喫煙ボックス５０の設置場所を決定する必要がない。したがって、喫煙ボックス５０の人感センサ５７の検知信号が有線通信される構成と比較して、喫煙ボックス５０の設置場所の自由度が増すという利点がある。
【０１１４】
（１１）以上の各形態において、予約状態の喫煙ボックス５０が施錠される構成としてもよい。以上の構成では、例えば、予約操作をした場合、パスワードがランダムに決定され、当該パスワードが利用者に通知される。喫煙ボックス５０には、パスワードの入力が可能な入力装置が備えられ、通知されたパスワードが入力された場合に施錠が解除される。なお、パスワードは、一度入力された場合に無効になる。
【０１１５】
以上の構成において、パスワードを通知する方法は適宜に変更できる。例えば、利用者は自身の携帯用コンピュータに専用のアプリケーションをインストールする。当該アプリケーションを起動した場合、喫煙ボックス５０を利用するためのパスワードが利用者の携帯用コンピュータに通知される。以上の構成では、喫煙ボックス５０の予約操作を携帯用コンピュータが受付可能としてもよい。
【０１１６】
（１２）以上の各形態において、報知装置としての表示装置５６が喫煙ボックス５０の背面板５１ｂに取り付けられる構成を採用したが、報知装置が喫煙ボックス５０と別々の構成としてもよい。
【０１１７】
（１３）以上の各形態において、排気パイプＰ２にパネル部材を設け、当該パネル部材に遊技に関する情報（例えば新台情報等）が表示される構成としてもよい。以上の構成によれば、例えば、当該パネル部材を遊技場の床（通路等）に設ける構成と比較して、遊技場における歩行が当該パネル部材により妨げられ難くなるという利点がある。
【０１１８】
（１４）以上の各形態において、パチンコ機およびパチスロ機が設置される遊技場を想定したが、例えばカジノマシンが設置される遊技場（カジノ）において本発明を実施してもよい。
【０１１９】
（１５）従来から、パチンコ機およびパチスロ機の遊技に依存する遊技者が問題になっている。また、例えばカジノにおいては、ギャンブルに依存する者が問題になっている。以上の遊技者等には、遊技場等において、適当なタイミングで依存に注意すべき旨を報知することが重要である。例えば喫煙のために一時的に遊技をしていないタイミングにおいて、上述の報知をすることが効果的である。
【０１２０】
以上の事情を考慮して、喫煙ボックス５０の利用者に対して、遊技依存に注意すべき旨を報知可能な構成を採用してもよい。例えば、喫煙ボックス５０の表示装置５６に遊技依存に注意すべき旨を報知するための画像（以下「注意画像」）を表示する構成が好適である。注意画像には、例えば「パチンコは適度に楽しむ遊びです」というメッセージとともに、遊技依存の遊技者の症例（例えば「遊技すると時間を忘れる」）が表示される。
【０１２１】
以上の注意画像が表示されるタイミングは、適宜に変更できる。例えば、センサ５７が利用者を検知した場合、注意画像を予め定められた時間長（例えば１０秒）に亘り表示し、その後、上述の図７（ａ）に示した利用時画像ＧＸを表示する構成としてもよい。また、利用時画像ＧＸが予め定められた時間長に亘り表示された後に、注意画像が表示される構成としてもよい。
【０１２２】
本発明の制御装置は、例えば以下の制御装置である。
【０１２３】
本発明の制御装置１００は、遊技に関する遊技情報を記憶する記憶手段と、内部の煙が外部に漏出し難い喫煙ボックスにおける利用者の有無を特定可能な信号を受信する受信手段と、遊技情報を表示する第１画像を表示させるとともに、受信手段が受信した信号に応じて、喫煙ボックスの利用者の有無を把握可能な第２画像を表示させる表示制御手段とを具備する。
【０１２４】
以上の構成によれば、例えば、喫煙ボックスの利用状況を把握可能な第２画像を表示する表示装置（例えばデジタルサイネージ）を遊技者が移動し易い場所（例えば遊技機から近い場所）に設置することで、喫煙ボックスの利用状況を確認するために必要な移動距離を抑制できる。
【０１２５】
また、本発明の構成によれば、上述の第２画像に加え、遊技に関する遊技情報を表示する第１画像を表示装置に表示できる。以上の構成によれば、喫煙ボックスの利用状況を確認に来た遊技者に対して、遊技情報（例えば遊技場に設置された遊技機の種類）を合わせて確認させることができるという利点がある。
【０１２６】
本発明の好適な態様として、受信手段は、複数の喫煙ボックスの各々における利用者の有無を特定可能な信号を受信可能であり、表示制御手段は、複数の喫煙ボックスの各々における利用者の有無を把握可能な前記第２画像を表示させる。以上の構成によれば、複数の喫煙ボックスの利用状況を第２画像により一度に把握することができる。
【０１２７】
本発明の他の好適な態様として、喫煙ボックスを予約するための予約操作を受付ける予約操作受付手段と、予約操作を受付けた場合、喫煙ボックスを予約状態に移行させるための信号を送信する送信手段とを具備する。以上の構成によれば、例えば、喫煙ボックスが空いていることを確認してから当該喫煙ボックスに移動するまでの期間において、当該喫煙ボックスが他の利用者に利用されてしまう不都合が抑制される。
【符号の説明】
【０１２８】
１０…遊技機、２０…遊技用装置、３０…情報表示装置、４０…供給装置、５０…喫煙ボックス、６０…デジタルサイネージ、７０…管理用コンピュータ、８０…管理用モニタ、１００…制御装置、１１０…表示制御部、１２０…遊技情報記憶部、１３０…受信部、１４０…利用状況記憶部、１５０…予約操作受付部、１６０…送信部。
【図１】
2019208585.tif 000003
【図２】
2019208585.tif 000004
【図３】
2019208585.tif 000005
【図４】
2019208585.tif 000006
【図５】
2019208585.tif 000007
【図６】
2019208585.tif 000008
【図７】
2019208585.tif 000009
【図８】
2019208585.tif 000010
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
遊技に関する遊技情報を記憶する記憶手段と、
内部の煙が外部に漏出し難い喫煙ボックスにおける利用者の有無を特定可能な特定信号を受信する受信手段と、
前記遊技情報を表示する第１画像を表示させるとともに、前記受信手段が受信した前記特定信号に応じて、前記喫煙ボックスの利用者の有無を把握可能な第２画像を表示させる表示制御手段と、
前記喫煙ボックスを予約するための予約操作を受付ける予約操作受付手段と、
前記喫煙ボックスに利用者がいることが前記特定信号により特定されない状態が、当該喫煙ボックスを予約するための前記予約操作を受付けてから予め定められた設定時間長に亘り継続した場合、その旨を把握可能にする制御を実行する超過時制御手段と、
前記設定時間長を変更可能な設定時間長変更手段と
を具備する制御装置。
【請求項２】
前記受信手段は、複数の前記喫煙ボックスの各々における利用者の有無を特定可能な信号を受信可能であり、
前記表示制御手段は、前記複数の喫煙ボックスの各々における利用者の有無を把握可能な前記第２画像を表示させる
請求項１に記載の制御装置。
【請求項３】
前記予約操作を受付けた場合、前記喫煙ボックスを予約状態に移行させるための信号を送信する送信手段と
を具備する請求項１または２に記載の制御装置。
【請求項４】
請求項２に記載の制御装置と、
前記複数の喫煙ボックスとを具備する管理システムであって、
前記複数の喫煙ボックスの各々は、略１人の利用者を収容可能である
管理システム。
【手続補正２】
【補正対象書類名】明細書
【補正対象項目名】０００６
【補正方法】変更
【補正の内容】
【０００６】
以上の課題を解決するために、本発明の制御装置は、遊技に関する遊技情報を記憶する記憶手段と、内部の煙が外部に漏出し難い喫煙ボックスにおける利用者の有無を特定可能な特定信号を受信する受信手段と、遊技情報を表示する第１画像を表示させるとともに、受信手段が受信した特定信号に応じて、喫煙ボックスの利用者の有無を把握可能な第２画像を表示させる表示制御手段と、喫煙ボックスを予約するための予約操作を受付ける予約操作受付手段と、喫煙ボックスに利用者がいることが特定信号により特定されない状態が、当該喫煙ボックスを予約するための予約操作を受付けてから予め定められた設定時間長に亘り継続した場合、その旨を把握可能にする制御を実行する超過時制御手段と、設定時間長を変更可能な設定時間長変更手段とを具備する。
【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
複数の遊技機が設置される遊技場の来場者に対して各種の画像を表示可能な制御装置と、
前記遊技場に設置され、内部の煙が外部に漏出し難い複数の喫煙ボックスと
を具備する管理システムであって、
前記喫煙ボックスの各々は、
略１人の利用者を収容可能であり、
前記制御装置は、
前記遊技機における遊技者の有無を特定可能な遊技情報を記憶する記憶手段と、
前記喫煙ボックスにおける利用者の有無を特定可能な特定信号を受信する受信手段と、
前記記憶手段が記憶する前記遊技情報に応じて、前記遊技機の遊技者の有無を把握可能な第１画像を表示させるとともに、前記受信手段が受信した前記特定信号に応じて、前記喫煙ボックスの利用者の有無を把握可能な第２画像を表示させる表示制御手段と、
前記喫煙ボックスを次回使用することを予約するための予約操作を受付ける予約操作受付手段と、
前記喫煙ボックスに利用者がいることが前記特定信号により特定されない状態が、当該喫煙ボックスを予約するための前記予約操作を受付けてから予め定められた設定時間長に亘り継続した場合、その旨を把握可能にする制御を実行する超過時制御手段と、
前記設定時間長を変更可能な設定時間長変更手段とを具備し、
前記表示制御手段は、
前記遊技機の各々に対応する複数の前記第１画像、および、前記喫煙ボックスの各々に対応する複数の前記第２画像を、前記遊技場における前記遊技機と前記喫煙ボックスとの位置関係が把握可能な位置に表示するフロア画像を表示可能であり、
前記第１画像に対応する前記遊技機に遊技者がいる場合と、遊技者がいない場合とで相違する態様で当該第１画像を表示させ、
前記第２画像に対応する前記喫煙ボックスに利用者がいる場合と、予約されたが利用者がいない場合と、予約されておらず利用者がいない場合とで相違する態様で当該第２画像を表示させる
管理システム。
【請求項２】
前記制御装置は、前記予約操作を受付けた場合、前記喫煙ボックスを予約状態に移行させるための信号を送信する送信手段
を具備する請求項１に記載の管理システム。
【手続補正３】
【補正対象書類名】明細書
【補正対象項目名】０００１
【補正方法】変更
【補正の内容】
【０００１】
本発明は、喫煙ボックスの利用状況を把握可能な画像を表示させる管理システムに関する。
【手続補正４】
【補正対象書類名】明細書
【補正対象項目名】０００６
【補正方法】変更
【補正の内容】
【０００６】
以上の課題を解決するために、本発明の管理システムは、複数の遊技機が設置される遊技場の来場者に対して各種の画像を表示可能な制御装置と、遊技場に設置され、内部の煙が外部に漏出し難い複数の喫煙ボックスとを具備する管理システムであって、喫煙ボックスの各々は、略１人の利用者を収容可能であり、制御装置は、遊技機における遊技者の有無を特定可能な遊技情報を記憶する記憶手段と、喫煙ボックスにおける利用者の有無を特定可能な特定信号を受信する受信手段と、記憶手段が記憶する遊技情報に応じて、遊技機の遊技者の有無を把握可能な第１画像を表示させるとともに、受信手段が受信した特定信号に応じて、喫煙ボックスの利用者の有無を把握可能な第２画像を表示させる表示制御手段と、喫煙ボックスを次回使用することを予約するための予約操作を受付ける予約操作受付手段と、喫煙ボックスに利用者がいることが特定信号により特定されない状態が、当該喫煙ボックスを予約するための予約操作を受付けてから予め定められた設定時間長に亘り継続した場合、その旨を把握可能にする制御を実行する超過時制御手段と、設定時間長を変更可能な設定時間長変更手段とを具備し、表示制御手段は、遊技機の各々に対応する複数の第１画像、および、喫煙ボックスの各々に対応する複数の第２画像を、遊技場における遊技機と喫煙ボックスとの位置関係が把握可能な位置に表示するフロア画像を表示可能であり、第１画像に対応する遊技機に遊技者がいる場合と、遊技者がいない場合とで相違する態様で当該第１画像を表示させ、第２画像に対応する喫煙ボックスに利用者がいる場合と、予約されたが利用者がいない場合と、予約されておらず利用者がいない場合とで相違する態様で当該第２画像を表示させる。